Podtech/llm-jp-corpus-v4-ja_patent huggingface dataset:
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
画像を分割することによって現在ブロックを取得し、
前記現在ブロックのイントラ予測モードを導出し、
複数の参照サンプルラインから前記現在ブロックのためのイントラ予測の参照サンプルを導出し、
前記現在ブロックのためのイントラ予測を行うことにより予測ブロックを生成する、
画像復号方法。
【請求項２】
前記現在ブロックのサイズが所定のサイズよりも大きい場合には、前記現在ブロックは４分木（ｑｕａｄ  ｔｒｅｅ）のみによって分割される、
請求項１に記載の画像復号方法。
【請求項３】
前記現在ブロックのイントラ予測モードは、左側近傍ブロックのイントラ予測モード及び上側近傍ブロックのイントラ予測モードに基づいて分割され、前記左側近傍ブロックは前記現在ブロックの左下側に隣接するブロックであり、前記上側近傍ブロックは前記現在ブロックの右上側に隣接するブロックである、
請求項１に記載の画像復号方法。
【請求項４】
前記現在ブロックのイントラ予測モードは、前記左側近傍ブロックのイントラ予測モードの最大値及び最小値と前記上側近傍ブロックのイントラ予測モードとに基づいて分割される、
請求項３に記載の画像復号方法。
【請求項５】
前記複数の参照サンプルラインの中から、前記参照サンプルを分割するための参照サンプルラインが、ビットストリームから再構築された情報に基づいて決定される、
請求項１に記載の画像復号方法。
【請求項６】
前記複数の参照サンプルラインの中から、前記参照サンプルを分割するための参照サンプルラインが、符号化ツリーブロック（Ｃｏｄｉｎｇ  Ｔｒｅｅ  Ｂｌｏｃｋ）の境界に対応する前記現在ブロックの上側境界かどうかに基づいて決定される、
請求項１に記載の画像復号方法。
【請求項７】
前記参照サンプルの分割は参照サンプルのフィルタリングを具備し、
前記参照サンプルのフィルタリングは前記複数の参照サンプルラインの中の第１の参照サンプルラインに対してのみ行われる、
請求項１に記載の画像復号方法。
【請求項８】
前記複数の参照サンプルラインの中から、前記参照サンプルを分割するための参照サンプルラインが、前記現在ブロックのイントラ予測モードに基づいて決定される、
請求項１に記載の画像復号方法。
【請求項９】
前記イントラ予測は、前記分割された参照サンプルにフィルタを適用することにより行われ、
前記フィルタのタイプは、前記複数の参照サンプルラインによって異なるように決定される、
請求項１に記載の画像復号方法。
【請求項１０】
前記複数の参照サンプルラインのサンプル中の所定の範囲の外にあるサンプルに対する可能性判断は行われず、前記所定の範囲の外にあるサンプルは、前記所定の範囲の内にある隣接サンプルに置換される、
請求項１に記載の画像復号方法。
【請求項１１】
画像を分割することによって現在ブロックを取得し、
前記現在ブロックのイントラ予測モードを決定し、
複数の参照サンプルラインから前記現在ブロックのためのイントラ予測の参照サンプルを導出し、
前記現在ブロックのためのイントラ予測を行うことにより予測ブロックを生成する、
画像符号化方法。
【請求項１２】
前記現在ブロックのイントラ予測モードは、左側近傍ブロックのイントラ予測モード及び上側近傍ブロックのイントラ予測モードに基づいて符号化され、前記左側近傍ブロックは前記現在ブロックの左下側に隣接するブロックであり、前記上側近傍ブロックは前記現在ブロックの右上側に隣接するブロックである、
請求項１１に記載の画像符号化方法。
【請求項１３】
前記現在ブロックのイントラ予測モードは、前記左側近傍ブロックのイントラ予測モードの最大値及び最小値と前記上側近傍ブロックのイントラ予測モードとに基づいて符号化される、
請求項１２に記載の画像符号化方法。
【請求項１４】
前記複数の参照サンプルラインの中から、前記参照サンプルを分割するための参照サンプルラインを決定するための情報が、ビットストリームの中に符号化される、
請求項１１に記載の画像符号化方法。
【請求項１５】
前記複数の参照サンプルラインの中から、前記参照サンプルを分割するための参照サンプルラインが、符号化ツリーブロック（Ｃｏｄｉｎｇ  Ｔｒｅｅ  Ｂｌｏｃｋ）の境界に対応する前記現在ブロックの上側境界かどうかに基づいて決定される、
請求項１１に記載の画像符号化方法。
【請求項１６】
前記参照サンプルの分割は参照サンプルのフィルタリングを具備し、
前記参照サンプルのフィルタリングは前記複数の参照サンプルラインの中の第１の参照サンプルラインに対してのみ行われる、
請求項１１に記載の画像符号化方法。
【請求項１７】
前記複数の参照サンプルラインの中から、前記参照サンプルを分割するための参照サンプルラインが、前記現在ブロックのイントラ予測モードに基づいて決定される、
請求項１１に記載の画像符号化方法。
【請求項１８】
前記イントラ予測は、前記分割された参照サンプルにフィルタを適用することにより行われ、
前記フィルタのタイプは、前記複数の参照サンプルラインによって異なるように決定される、
請求項１１に記載の画像符号化方法。
【請求項１９】
前記複数の参照サンプルラインのサンプル中の所定の範囲の外にあるサンプルに対する可能性判断は行われず、前記所定の範囲の外にあるサンプルは、前記所定の範囲の内にある隣接サンプルに置換される、
請求項１１に記載の画像符号化方法。
【請求項２０】
画像復号装置によって受信、復号され、画像を再構築するために使用されるビットストリームを保存したコンピュータに読み取り可能な記録媒体であって、
前記ビットストリームは、現在ブロックの予測のための情報を具備し、
前記現在ブロックの予測のための情報は、前記現在ブロックのイントラ予測モードを分割するために使用され、
前記現在ブロックのイントラ予測モードは、前記現在ブロックのためのイントラ予測を行うことにより予測ブロックを生成するために使用され、
イントラ予測のために使用される参照サンプルは、複数の参照サンプルラインから分割される、
コンピュータに読み取り可能な記録媒体。
【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
受信機と、
第１レーンと第２レーンとを少なくとも含む複数のレーンを有する通信チャネルを介して前記受信機に接続された送信機であって、前記第１レーンは、システムデータを伝送するために利用されない、送信機と、
を備えるシステムであって、
前記送信機は、
前記チャネルの前記第１レーンでテストパターンを送信し、
前記チャネルの第２レーンでシステムデータを送信するのと同時に、前記第１レーンで前記テストパターンを送信する、
ように構成されており、
前記受信機は、
第１チャネルの前記第１レーンを介してテストパターンを受信し、
受信したテストパターンにおいて検出されたエラーに基づいて、前記第１レーンのサンプリングポイントがミスアライメントであると判別する、
ように構成されており、
前記システムは、前記検出されたエラーに応じて、
前記第１レーンのサンプリングポイントに対して第１調整を実行し、
前記チャネルの前記第２レーンのサンプリングポイントに対して、前記第１調整と同じ調整である第２調整を実行する、
ように構成されている、
システム。
【請求項２】
前記システムは、前記第１調整及び前記第２調整を実行する前に初期フェーズを実行するように構成されており、前記システムは、前記初期フェーズ中に、前記第１レーン及び前記第２レーンの両方を同時にトレーニングすることに応じて、前記第１レーンのサンプリングポイントと、前記第２レーンのサンプリングポイントと、を設定するように構成されており、
前記トレーニングは、テストパターンデータを前記第１レーン及び前記第２レーンで伝えることと、前記第１レーン及び前記第２レーンの遅延設定を更新して前記第１レーンのサンプリングポイントと前記第２レーンのサンプリングポイントとを調整することと、を含む、
請求項１のシステム。
【請求項３】
前記受信機は、
前記第１レーンで前記テストパターンを受信するのと同時に、前記第２レーンで前記第１データを受信し、
前記テストパターンにおいて前記エラーが検出されたかどうかを示すエラー表示を、前記第１レーンを介して前記送信機に伝える、
ように構成されている、
請求項１のシステム。
【請求項４】
前記送信機は、前記第１レーンで前記エラー表示を受信したことに応じて、前記第１レーンのサンプリングポイントに対して前記第１調整を行うために、前記第１レーンの遅延設定を変更するように構成されている、
請求項３のシステム。
【請求項５】
前記送信機は、前記第１レーンで前記エラー表示を受信したことに応じて、前記第２レーンのサンプリングポイントに対して前記第２調整を行うために、前記第２レーンの遅延設定を変更するように構成されている、
請求項３のシステム。
【請求項６】
前記第２レーンのサンプリングポイントに対する前記第２調整は、前記第２レーンでテストパターンを送信することなく行われる、
請求項５のシステム。
【請求項７】
送信機が、通信チャネルの第１レーンでテストパターンを送信することであって、前記第１レーンはシステムデータを伝送するために利用されない、ことと、
前記送信機が、前記通信チャネルの第２レーンでシステムデータを送信するのと同時に、前記第１レーンで前記テストパターンを送信することと、
受信機によって受信された前記テストパターンにおいて検出されたエラーの数に基づいて、前記第１レーンのサンプリングポイントがミスアライメントであると判別したことに応じて、前記第１レーンのサンプリングポイントに対して第１調整を実行し、前記通信チャネルの第２レーンによって利用されるサンプリングポイントに対して、前記第１調整と同じ調整である第２調整を実行することと、を含む、
方法。
【請求項８】
前記第１調整及び前記第２調整を実行する前に初期フェーズを実行することを含み、
前記方法は、前記初期フェーズ中に、前記第１レーン及び前記第２レーンの両方を同時にトレーニングすることに応じて、前記第１レーンのサンプリングポイントと、前記第２レーンのサンプリングポイントと、を設定することを含み、
前記トレーニングは、テストパターンデータを前記第１レーン及び前記第２レーンで伝えることと、前記第１レーン及び前記第２レーンの遅延設定を更新して前記第１レーンのサンプリングポイントと前記第２レーンのサンプリングポイントとを調整することと、を含む、
請求項７の方法。
【請求項９】
前記第１レーンで前記テストパターンを受信するのと同時に、前記第２レーンで第２データを受信することと、
前記テストパターンにおいて前記エラーが検出されたかどうかを示すエラー表示を、前記第１レーンを介して送信機に伝えることと、を含む、
請求項７の方法。
【請求項１０】
前記送信機が、前記第１レーンで前記エラー表示を受信したことに応じて、前記第１レーンのサンプリングポイントに対して前記第１調整を行うために、前記第１レーンの遅延設定を変更すること、及び／又は、前記第２レーンのサンプリングポイントに対して前記第２調整を行うために、前記第２レーンの遅延設定を変更することを含む、
請求項９の方法。
【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
メモリアクセス要求を受信し、記憶するコマンドキュー（５２０）と、
コントローラサイクル中に前記メモリアクセス要求の中から対応する複数のサブアービトレーション勝者を提供する複数のサブアービタ（６０５）であって、対応するコントローラサイクルにおいて複数のメモリコマンドをメモリに提供するために前記複数のサブアービトレーション勝者の中から何れかを選択する複数のサブアービタ（６０５）を備えるアービタ（５３８）と、を備え、
メモリコマンドサイクルは前記対応するコントローラサイクルよりも短い、
メモリコントローラ（５００）。
【請求項２】
前記コントローラサイクルは、コントローラクロック信号によって定義され、
前記メモリコマンドサイクルは、メモリクロック信号によって定義され、
前記メモリクロック信号は、前記コントローラクロック信号よりも高い周波数を有する、
請求項１のメモリコントローラ（５００）。
【請求項３】
前記複数のサブアービタ（６０５）は、
前記コマンドキュー（５２０）に接続された第１サブアービタ（６１０）であって、コントローラクロック信号に同期して、前記コマンドキュー（５２０）内のアクティブエントリの中から第１サブアービトレーション勝者を決定する第１サブアービタ（６１０）と、
前記コマンドキュー（５２０）に接続された第２サブアービタ（６２０）であって、前記コントローラクロック信号に同期して、前記コマンドキュー（５２０）内の前記アクティブエントリの中から前記第１アービトレーション勝者とは異なる第２サブアービトレーション勝者を決定する第２サブアービタ（６２０）と、を備え、
前記メモリコントローラ（５００）は、メモリクロック信号の第１サイクルにおいて前記第１サブアービトレーション勝者を第１メモリコマンドとして出力し、前記メモリクロック信号の後続のサイクルにおいて前記第２サブアービトレーション勝者を第２メモリコマンドとして出力するように動作し、前記メモリクロック信号の周波数は、前記コントローラクロック信号の周波数よりも高い、
請求項１のメモリコントローラ（５００）。
【請求項４】
前記複数のサブアービタ（６０５）は、
前記コマンドキュー（５２０）に接続された第３サブアービタ（６３０）であって、前記コントローラクロック信号に同期して、前記コマンドキュー（５２０）内のアクティブエントリの中から第３サブアービトレーション勝者を決定する第３サブアービタ（６３０）を備える、
請求項３のメモリコントローラ（５００）。
【請求項５】
前記アービタ（５３８）は、
前記第１サブアービトレーション勝者、前記第２サブアービトレーション勝者及び前記第３サブアービトレーション勝者の中から２つの最終アービトレーション勝者を選択し、前記２つの最終アービトレーション勝者を前記第１メモリコマンド及び前記第２メモリコマンドとして提供する最終アービタ（６５０）を備える、
請求項４のメモリコントローラ（５００）。
【請求項６】
前記複数のサブアービタ（６０５）は、前記第１サブアービタ（６１０）、前記第２サブアービタ（６２０）及び前記第３サブアービタ（６３０）のうち何れかと同じタイプの少なくとも１つの他のサブアービタを備え、
前記最終アービタ（６５０）は、前記対応するコントローラサイクルにおいて前記複数のサブアービタ（６０５）の中から前記同じタイプの２つの最終アービトレーション勝者を選択する、
請求項５のメモリコントローラ（５００）。
【請求項７】
前記第１サブアービタ（６１０）は、前記コマンドキュー（５２０）内のページヒットコマンドから前記第１サブアービトレーション勝者を選択し、
前記第２サブアービタ（６２０）は、前記コマンドキュー（５２０）内のページ競合コマンドから前記第２サブアービトレーション勝者を選択し、
前記第３サブアービタ（６３０）は、前記コマンドキュー（５２０）内のページミスコマンドから前記第３サブアービトレーション勝者を選択する、
請求項４のメモリコントローラ（５００）。
【請求項８】
前記複数のサブアービタ（６０５）の各々は、前記コマンドキュー（５２０）内の関連するタイプのコマンドの中からアービトレーション勝者を選択し、
前記複数のサブアービタ（６０５）のうち少なくとも２つは、同じタイプのアービトレーション勝者を選択し、
前記アービタ（５３８）は、前記対応するコントローラサイクルにおいて前記複数のサブアービタ（６０５）の中から前記同じタイプの２つの最終アービトレーション勝者を選択する、
請求項１のメモリコントローラ（５００）。
【請求項９】
メモリアクセス要求を提供するメモリアクセスエージェント（１１０，２１０，２２０）と、
メモリシステム（１２０）と、
請求項１〜８の何れかのメモリコントローラと、を備える、
データ処理システム（１００）。
【請求項１０】
前記メモリアクセスエージェントは、
中央処理ユニットコア（２１２，２１４）と、
グラフィックス処理ユニットコア（２２０）と、
前記中央処理ユニットコア（２１２，２１４）及び前記グラフィックス処理ユニットコア（２２０）を前記メモリコントローラ（２９２，５００）に相互接続するデータファブリック（２５０）と、を備える、
請求項９のデータ処理システム（１００）。
【請求項１１】
複数のメモリアクセス要求を受信することと、
前記複数のメモリアクセス要求をコマンドキュー（５２０）に記憶することと、
前記コマンドキュー（５２０）からメモリアクセス要求を選択することであって、第１コントローラサイクル中に前記メモリアクセス要求の中から複数のサブアービトレーション勝者を選択することと、対応するコントローラサイクルにおいて複数のメモリコマンドをメモリに提供するために前記複数のサブアービトレーション勝者の中から何れかを選択することとを含む、ことと、を含み、
メモリコマンドサイクルは前記対応するコントローラサイクルよりも短い、
方法。
【請求項１２】
前記複数のサブアービトレーション勝者を選択することは、
前記コマンドキュー（５２０）内のページヒットコマンドから第１サブアービトレーション勝者を選択することと、
前記コマンドキュー（５２０）内のページ競合コマンドから第２サブアービトレーション勝者を選択することと、
前記コマンドキュー（５２０）内のページミスコマンドから第３サブアービトレーション勝者を選択することと、を含む、
請求項１１の方法。
【請求項１３】
前記コマンドキュー内の前記ページヒットコマンド、前記ページ競合コマンド及び前記ページミスコマンドのうち何れかから第４サブアービトレーション勝者を選択することと、
前記第１コントローラサイクルにおいて、前記第１サブアービトレーション勝者、前記第２サブアービトレーション勝者、前記第３サブアービトレーション勝者及び前記第４サブアービトレーション勝者の中から同じタイプの２つの最終アービトレーション勝者を選択することと、を含む、
請求項１２の方法。
【請求項１４】
対応するコントローラサイクルにおいて第２の複数のメモリコマンドを前記メモリに提供するために、前記複数のサブアービトレーション勝者の中から何れかとオーバヘッドコマンドとを選択することを含む、
請求項１１の方法。
【誤訳訂正書】
【提出日】令和1年5月14日(2019.5.14)
【誤訳訂正１】
【訂正対象書類名】明細書
【訂正対象項目名】０００５
【訂正方法】変更
【訂正の内容】
【０００５】
残念なことに、耐食性材料（ステンレス鋼など）であっても、これらの激しい作動条件下では劣化し易い。特に表面酸化が起きることがあり、金属酸化物の蓄積が、支持金属基材の弱化及び潜在的な破損を招く可能性がある。これらの酸化物層は、金属基材を被膜するＳＯＦＣ電気化学層の下にも形成され、電気抵抗の上昇をもたらす。酸化が継続すると、酸化物層が厚く成長して、これが電気化学層を金属層から分離し、及び／又は酸化物層の一部が金属表面からはがれる可能性がある。これらの作用は、ＳＯＦＣを損傷し、性能を低下させ、ＳＯＦＣの破損を引き起こし得る。
【誤訳訂正２】
【訂正対象書類名】明細書
【訂正対象項目名】００１７
【訂正方法】変更
【訂正の内容】
【００１７】
金属基材の空気側を被覆して、ＳＯＦＣ上の固定具（例えばガスケット）とＳＯＦＣの活性領域との間の領域を電解質で覆うために使用される電解質層が、ＳＯＦＣの活性領域のアノードとカソードとの間の電解質（又は電解質の一部）を形成するのに使用されるものと同じ電解質層である状況では、典型的にはこの電解質の厚さは、５μｍ超、さらに典型的には５μｍ〜１００μｍ、さらにより典型的には１０μｍ〜５０μｍ、より典型的には１２μｍ〜１５μｍの範囲である。ＳＯＦＣ上の固定具（例えばガスケット）とＳＯＦＣの活性領域との間の領域を電解質で覆うために使用される電解質層が、ＳＯＦＣの活性領域のアノードとカソードとの間の電解質（又は電解質の一部）を形成するのに使用されるものと同じ電解質層ではない状況では、典型的にはこの電解質層の厚さは、１μｍ超、より典型的には２μｍ〜５０μｍ、さらにより典型的には２μｍ〜１０μｍ、より典型的には２μｍ〜５μｍの範囲である。電解質層の厚さは、通常の大量生産プロセスが考慮されるとき、電解質層の浸透性に影響を及ぼす。層が薄すぎると、ＳＯＦＣ作動下で反応ガスが層を貫通して、下にある基材又はアノードと反応する可能性がある。しかしながら、より厚い層はより多くの材料を必要とし、ＳＯＦＣの重量と製造コストの両方を増加させる。電解質層の最適な厚さは、本明細書に記載されている通りである。
【誤訳訂正３】
【訂正対象書類名】明細書
【訂正対象項目名】００３７
【訂正方法】変更
【訂正の内容】
【００３７】
カソードは一般に、使用前に焼結される。カソードは典型的には、焼結電解質の上に直接又は間接的に１つ以上の層として適用され（例えば、活性層及び集電層として適用され、これはバルク層と呼ばれることがある）、アノードについて上記したものと同様の条件下で焼結される。これは、中間温度の金属支持ＳＯＦＣを提供し、これは、繰り返し行われる酸化還元サイクリングに耐え、アノード構造が形成される結果、作動温度までの温度で、燃料欠乏に耐える。
【誤訳訂正４】
【訂正対象書類名】明細書
【訂正対象項目名】００４９
【訂正方法】変更
【訂正の内容】
【００４９】
「ＳＯＦＣの活性領域」という用語は、作動中に電気化学反応が起きる基材の領域を指すものとする。本発明において、これは典型的には、孔を含む基材の領域によって画定される。ＳＯＦＣが機能するためには、燃料反応ガスはアノード層に接触できなければならない。燃料反応ガスは、基材内の複数の孔を通ってアノード層に到達するため、ＳＯＦＣの活性領域は、基材内の複数の孔によって画定される領域とみなされ得る。各金属基材上に２つ以上の孔領域が存在してもよい。典型的にはプロセスは、バリア層を提供する工程をさらに含むことができる。このバリア層は、ガスケットがその上に配置され得る電解質層の特定の領域に適用されてもよい。バリア層はまた、ガスケットに近接した領域を包含してもよく、又はガスケットに近接した領域のみを覆ってもよい。あるいはバリア層は、ガスケットが電解質層に固定される前に、ガスケットに適用されてもよい。ガスケットに適用されるバリア層は、箔又は箔上の被膜であってもよい。
【誤訳訂正５】
【訂正対象書類名】明細書
【訂正対象項目名】００５３
【訂正方法】変更
【訂正の内容】
【００５３】
図９ａは、英国特許第２３６８４５０号に記載されたものと同様の、本発明の金属支持型ＳＯＦＣ１の断面の系統図を示す。このＳＯＦＣは、非多孔質金属箔から製造され、非穿孔領域により囲まれた穿孔領域からなるフェライト系ステンレス鋼基材１３を含み、ここで上記穿孔領域は、基材１３の領域２を通して何千もの孔をレーザ穿孔することによって形成された孔から形成されている。基材１３とアノード層６との間に、酸化クロム不動態化層（図示せず）が形成される。英国特許第２３６８４５０号、英国特許第２５１７９２７号、英国特許第２５１７９２８号に記載されているものと同様の、基材１３の少なくとも領域２を覆う酸化ニッケル及びＣｏ−ＣＧＯ多孔質アノード層６が設けられている。アノード層６上には、英国特許第２５２４６４０号に記載されているものと同様のＣｏ−ＣＧＯ電解質層１５（１０〜２０μｍの厚さ）が堆積され、これは、アノード層を基材１３の非穿孔領域８に重ね合わせて、こうしてアノード層６の端部の周りにシールを形成する。カソード層１９（図１２参照）はいくつかの層、すなわち、酸素の還元が起きる第１の薄いカソード活性層１２と、スタック（図示せず）中の電池１から電流を集めることを可能にする、より厚いカソード集電層１４からなる。ガスケット３ａ、３ｂは、アルミニウム箔バリア層４を介して電解質層１５に接続されている。金属相互接続（図示せず）は、溶接などの当技術分野で公知の様々な手段によって金属基材に接続することができる。相互接続部は通常、非穿孔領域８の部分のような、電池反応に関与しない電池の部分に取り付けられる。相互接続部は、典型的にはガスケット３ａ及び３ｂ上にシーリングされ、電気的接触は、金属相互接続部上の接触形状部と集電層１４との間に作成される。ガスケットは電気的に絶縁性である。これにより、複数のＳＯＦＣをＳＯＦＣスタックに接続することができ、ＳＯＦＣスタック内の個々のＳＯＦＣの周囲に独立した反応環境を作り出すことができる。
【誤訳訂正６】
【訂正対象書類名】明細書
【訂正対象項目名】００５５
【訂正方法】変更
【訂正の内容】
【００５５】
図１０は、単一のフェライト系ステンレス鋼基材１３を含むＳＯＦＣ１からなる、本発明の例示的実施態様を示し、上記基材１３は、これを被膜するコバルトをドープした酸化セリウムガドリニウム（Ｃｏ−ＣＧＯ）１５の電解質層をさらに含む。ガスケット３ａ、３ｂが、電解質層１５に適用される。電解質層１５は、上記基材の実質的に全てを覆い、約１ｍｍの幅を有するＳＯＦＣの周辺部の被覆されていない基材の狭い領域を残す。電解質層はまたガスケットの下にも延びている（図９ａ参照）。また、ガスケット３ａ、３ｂに近接した領域１７ａ、１７ｂ、１７ｃも示されており、ここで、電解質層１５の被膜を含むことが特に望ましい。これらは典型的には、その上にガスケットからの不純物が浸出され堆積された領域である。カソード層１９は、電解質層１５の表面上に堆積される。基材と電解質との間のアノード層は図示されていないが、カソード層１９と形状がほぼ対応するであろう。
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
自動化されたヘアスタイル処理の方法であって、
−  毛特性表現値と、体形表現値、特に頭形状表現値とを含む、予め定められたヘアスタイルモデルを提供するステップと、
−  該予め定められたヘアスタイルモデルのモデル体形部分からの偏差を検出することを含む、処置されるべき被術者の実際の体形部分、特に実際の頭形状をサンプリングするステップと、
−  前記実際の体形部分と前記モデル体形部分との間の偏差が検出される場合に、前記実際の体形偏差を補償するために、前記予め定められたヘアスタイルモデルの毛特性モデルを適合させるステップとを含み、
該毛特性モデルを適合させるステップは、前記毛特性モデルの局所的な調整を含む、
方法。
【請求項２】
前記予め定められたヘアスタイルモデルの前記モデル体形部分からの前記実際の体形部分の偏差を検出するステップは、定められた範囲又は閾を超える相当な偏差を検出することを含み、前記予め定められたヘアスタイルモデルの前記毛特性モデルを適合させるステップは、前記相当な偏差が存在するときに行われる、請求項１に記載の方法。
【請求項３】
前記ヘアスタイルモデルの前記毛特性表現値を適合させることによって、処理されたヘアカットの全体的な外観が、受け入れられる許容差レベル内に維持される、請求項１又は２に記載の方法。
【請求項４】
前記予め定められたヘアスタイルモデルは、位置値と、毛特性値、特に毛の長さ値とを含む、データ地点のセットを含む、地形学的毛モデルを含む、請求項１乃至３のうちのいずれか１項に記載の方法。
【請求項５】
前記毛特性モデルを適合させるステップは、
−  前記モデル体形部分に対する窪み特徴が検出される場合に、関連付けられる毛特性表現値、特に毛の長さ値に、補償オフセットを加えるステップ、
−  前記モデル体形部分に対する隆起特徴が検出される場合に、関連付けられる毛特性表現値、特に毛の長さ値から、補償オフセットを差し引くステップ、及び
−  皮膚又は頭のそれぞれの側に変位した特徴又は非対称的な特徴が検出される場合に、関連付けられる毛特性表現値、特に毛の長さ値又は毛存在値に、再配置オフセットを加えるステップ
のうちの少なくとも１つを含む、
請求項１乃至４のうちのいずれか１項に記載の方法。
【請求項６】
前記実際の体形をサンプリングするステップは、前記処置されるべき被術者の毛が処理されるときに行われ、前記毛特性モデルの処理内適合が行われる、請求項１乃至５のうちのいずれか１項に記載の方法。
【請求項７】
前記サンプリングされる実際の体形は、後続の毛処理作業のための前記毛特性モデルの適合のために使用される、請求項１乃至５のうちのいずれか１項に記載の方法。
【請求項８】
前記実際の体形をサンプリングするステップは、好ましくは、適合させられる毛特性モデルを使用する後続の毛処理作業の前に、サンプリングモードにおいて行われる、請求項１乃至５のうちのいずれか１項に記載の方法。
【請求項９】
前記体形サンプリング及び前記毛特性モデル適合の反復的な精緻化を含む、反復手順が行われる、請求項７又は８に記載の方法。
【請求項１０】
前記実際の体形をサンプリングするステップは、無作為に及び／又は標的を定めて移動させられるときに、前記処置されるべき被術者の体の部分の皮膚部分の外形を表す点群を記録するように構成される、位置表示区画を提供することを含む、請求項１乃至９のうちのいずれか１項に記載の方法。
【請求項１１】
自動化されたヘアスタイル処理のためのシステムであって、
−  毛特性表現値と、体形表現値、特に頭形状表現値とを含む、予め定められたヘアスタイルモデルを格納するように構成される、メモリユニットと、
−  処置されるべき被術者の実際の体形部分、特に実際の頭形状をサンプリングするように構成される、サンプリングユニットと、
−  前記予め定められたヘアスタイルモデルのモデル体形部分からの偏差を検出して、前記実際の体形とモデル体形部分との間の偏差が検出される場合に、請求項１乃至１０のうちのいずれか１項に記載の方法に従って前記実際の体形偏差を補償するために、前記予め定められたヘアスタイルモデルの毛特性モデルを適合させる、ように構成される、処理ユニットとを含む、
システム。
【請求項１２】
前記処置されるべき被術者の体の部分の皮膚部分の外形を表す点群を記録するように構成される位置決定ユニットを更に含む、請求項１１に記載のシステム。
【請求項１３】
自動化された毛切断デバイス、特に手持ち式の毛切断デバイスであって、
−  関心の被術者の有毛部分と係合するように構成される係合区画と、
−  切断長調整区画と、
−  位置表示区画と、
−  処理ユニットと通信するように構成される制御インターフェースとを含み、
該制御インターフェースは、動作データを交換するように作動可能であり、前記動作データは、毛特性表現値、特に毛の長さ値と、体形表現値とを含み、
前記切断長調整区画は、予め定められたヘアスタイルモデルに従って実際の切断長を定めるよう前記動作データに基づいて作動可能であり、
前記位置表示区画は、当該毛切断デバイスの実際の位置を検出するように作動可能であり、前記被術者の外側体形のデータ表現を、前記実際の位置に基づいて取得することができ、
前記実際の体形と前記モデル体形部分との間の偏差が検出される場合に、前記切断長調整区画は、前記動作データの局所的な調整を提供することによって前記実際の体形偏差を補償するよう、適合させられる動作データに基づいて作動可能である、
毛切断デバイス。
【請求項１４】
プログラムコード手段を含むコンピュータプログラムであって、前記プログラムコード手段は、当該コンピュータプログラムがコンピュータデバイス上で実行されるときに、コンピュータに請求項１乃至１０のうちのいずれか１項に記載の方法のステップを実施させる、コンピュータプログラム。
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
筋肉障害を治療するのに使用される、当該治療を必要とする個体に投与される治療的有効量のＲＸＲアゴニストおよび甲状腺ホルモンの組み合わせであって、前記ＲＸＲアゴニストは、式ＩＩの構造
【化１】
2019511492.tif 000001
（式中、Ｒは、Ｈまたは１〜６個の炭素の低級アルキルである。）、ベキサロテン、またはＬＧ２６８を有し、
当該組み合わせの投与は、前記ＲＸＲアゴニストまたは前記甲状腺ホルモン単独よりも効果的に前記個体の前記筋肉障害を治療する、組み合わせ。
【請求項２】
前記ＲＸＲアゴニストは、３，７−ジメチル−６（Ｓ），７（Ｓ）−メタノ，７−［１，１，４，４−テトラメチル−１，２，３，４−テトラヒドロナフト−７−イル］２（Ｅ），４（Ｅ）ヘプタジエン酸を含む選択的ＲＸＲアゴニストである、請求項１に記載の組み合わせ。
【請求項３】
前記ＲＸＲアゴニストは、３，７−ジメチル−６（Ｓ），７（Ｓ）−メタノ，７−［１，１，４，４−テトラメチル−１，２，３，４−テトラヒドロナフト−７−イル］２（Ｅ），４（Ｅ）ヘプタジエン酸エチルエステルである、請求項１に記載の組み合わせ。
【請求項４】
前記ＲＸＲアゴニストは、ベキサロテンである、請求項１に記載の組み合わせ。
【請求項５】
前記ＲＸＲアゴニストは、ＬＧ２６８である、請求項１に記載の組み合わせ。
【請求項６】
前記甲状腺ホルモンは、チロキシンである、請求項１に記載の組み合わせ。
【請求項７】
前記ＲＸＲアゴニストのエステルの前記治療的有効量は、約０．００１ｍｇ／日〜約１０００ｍｇ／日である、請求項１に記載の組み合わせ。
【請求項８】
前記ＲＸＲアゴニストの前記治療的有効量は、約０．００１ｍｇ／日〜約１０００ｍｇ／日である、請求項１に記載の組み合わせ。
【請求項９】
前記ＲＸＲアゴニストの前記治療的有効量は、約１ｍｇ／日〜約１００ｍｇ／日である、請求項１に記載の組み合わせ。
【請求項１０】
チロキシンの用量は、約１２．５μｇ／日〜約２５０μｇ／日である、請求項６に記載の組み合わせ。
【請求項１１】
前記ＲＸＲアゴニストは、経鼻投与によって投与される、請求項１に記載の組み合わせ。
【請求項１２】
前記ＲＸＲアゴニストおよび前記甲状腺ホルモンの両方は、経鼻投与により投与される、請求項１に記載の組み合わせ。
【請求項１３】
前記ＲＸＲアゴニストは、経口投与される、請求項１に記載の組み合わせ。
【請求項１４】
前記ＲＸＲアゴニストおよび前記甲状腺ホルモンの両方は、実質的に同時に投与される、請求項１に記載の組み合わせ。
【請求項１５】
前記ＲＸＲアゴニストおよび前記甲状腺ホルモンは、異なるスケジュールで投与される、請求項１に記載の組み合わせ。
【請求項１６】
前記甲状腺ホルモンは、経口投与される、請求項１に記載の組み合わせ。
【請求項１７】
前記甲状腺ホルモンは、皮下投与される、請求項１に記載の組み合わせ。
【請求項１８】
前記筋肉障害は、酸性マルターゼ欠損症、アトニー、萎縮、運動失調、ベッカー筋ジストロフィー（ＢＭＤ）、心筋虚血、心筋梗塞、心筋症、カルニチン欠損症、カルニチンパルミトイルトランスフェラーゼ欠損症、中枢核疾患（ＣＣＤ）、中心核（ミオチュブラー）ミオパチー、脳性まひ、コンパートメント症候群、チャネル障害、先天性筋ジストロフィー（ＣＭＤ）、コルチコステロイドミオパチー、痙攣（ｃｒａｍｐ）、皮膚筋炎、デュシェンヌ型筋ジストロフィー（ＤＭＤ）、ジストロフィー症、エメリー−ドライフス筋ジストロフィー（ＥＤＭＤ）、顔面肩甲上腕型筋ジストロフィー（ＦＳＨＤ）、線維症、四肢筋ジストロフィー（ＬＧＭＤ）、マカドル症候群、筋ジストロフィー、筋肉疲労、重症筋無力症、筋筋膜痛症候群、ミオパチー、筋緊張、筋緊張性筋ジストロフィー１型、筋緊張性筋ジストロフィー２型、ネマリンミオパチー、眼咽頭筋ジストロフィー、線維筋痛症、多発性筋炎、横紋筋融解症、および痙攣（ｓｐａｓｍ）からなる群から選択される、請求項１に記載の組み合わせ。
【請求項１９】
前記ミオパチーは、皮膚筋炎、封入体筋炎、または多発性筋炎である、請求項１８に記載の組み合わせ。
【請求項２０】
前記筋肉障害は、がん、ＨＩＶ／ＡＩＤＳ、ＣＯＰＤ、または慢性的なステロイドの使用に起因する、請求項１８に記載の組み合わせ。
【請求項２１】
レチノイドアゴニストおよび甲状腺ホルモンの組み合わせは、ｉｎ  ｖｉｖｏでの心筋保護または再生に影響を及ぼすことによって有益である、請求項１８に記載の組み合わせ。
【請求項２２】
レチノイドアゴニストおよび甲状腺ホルモンの組み合わせは、心筋を再生するために、対象に筋細胞を後で移植するためのｉｎ  ｖｉｔｒｏでの筋細胞の前処置に有益である、請求項１８に記載の組み合わせ。
【請求項２３】
筋肉障害を治療するのに使用される、当該治療を必要とする個体に投与される治療的有効量の３，７−ジメチル−６（Ｓ），７（Ｓ）−メタノ，７−［１，１，４，４−テトラメチル−１，２，３，４−テトラヒドロナフト−７−イル］２（Ｅ），４（Ｅ）ヘプタジエン酸（ＩＲＸ４２０４）およびチロキシンの組み合わせであって、当該組み合わせの投与は、罹患した１つもしくは複数の筋肉の、進行を遅延もしくは停止させる、および／または修復もしくは再生を誘発もしくは促進させることにより前記個体の前記筋肉障害の重症度を低下させ、当該組み合わせの投与は、前記ＩＲＸ４２０４または前記チロキシン単独よりもより効果的に前記個体の前記筋肉障害を治療する、組み合わせ。
【手続補正２】
【補正対象書類名】明細書
【補正対象項目名】０１７４
【補正方法】変更
【補正の内容】
【０１７４】
（付記２１）
レチノイドアゴニストおよび甲状腺ホルモンの組み合わせは、ｉｎ  ｖｉｖｏでの心筋保護または再生に影響を及ぼすことによって有益である、付記１８に記載の方法。
【手続補正３】
【補正対象書類名】明細書
【補正対象項目名】０１７６
【補正方法】変更
【補正の内容】
【０１７６】
（付記２３）
筋肉障害を治療する方法であって、当該治療を必要とする個体に治療的有効量の３，７−ジメチル−６（Ｓ），７（Ｓ）−メタノ，７−［１，１，４，４−テトラメチル−１，２，３，４−テトラヒドロナフト−７−イル］２（Ｅ），４（Ｅ）ヘプタジエン酸およびチロキシンを投与することを含み、その組み合わせの投与は、罹患した１つもしくは複数の筋肉の、進行を遅延もしくは停止させる、および／または修復もしくは再生を誘発もしくは促進させることにより前記個体の前記筋肉障害の重症度を低下させ、ＲＸＲアゴニストおよび甲状腺ホルモンの投与は、前記ＲＸＲアゴニストまたは前記甲状腺ホルモン単独よりもより効果的に前記個体の前記筋肉障害を治療する、方法。
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
表面の殺菌及び細菌代謝産物の破壊のための薬剤であって、水溶液中に、安定剤と共に少なくとも１つの過カルボン酸を含み、前記安定剤としてポリビニルピロリドン（ＰＶＰ）が使用される、薬剤。
【請求項２】
前記ＰＶＰが、１０，０００ダルトンと３６０，０００ダルトンとの間の範囲の平均分子量を有する、請求項１に記載の薬剤。
【請求項３】
前記ＰＶＰが、４０，０００ダルトンの平均分子量を有する、請求項２に記載の薬剤
【請求項４】
前記過カルボン酸がモノカルボン酸である、請求項１〜３のいずれか１項に記載の薬剤。
【請求項５】
前記過カルボン酸がヒドロキシ過カルボン酸である、請求項１〜３のいずれか１項に記載の薬剤。
【請求項６】
前記過カルボン酸が、過乳酸、過クエン酸、過マレイン酸又は過酒石酸である、請求項５に記載の薬剤。
【請求項７】
過カルボン酸のＰＶＰに対する質量比は、１：１０と１０：１との間の範囲である、請求項１〜６のいずれか１項に記載の薬剤。
【請求項８】
前記水溶液が、０．１〜５０質量％の、ＰＶＰで安定化された過カルボン酸を含む、請求項１〜７のいずれか１項に記載の薬剤。
【請求項９】
酸化安定界面活性剤をさらに含む、請求項１〜８のいずれか１項に記載の薬剤。
【請求項１０】
０．５〜５質量％のポリソルベートを含む、請求項９に記載の薬剤。
【請求項１１】
溶媒、金属イオン封鎖剤、ｐＨ調整剤、腐食防止剤、過酸のための安定剤、錯化剤、消泡剤、着色料及び／又は着臭剤を含む、請求項１〜１０のいずれか１項に記載の薬剤。
【請求項１２】
０〜７のｐＨ値を有する、請求項１〜１１のいずれか１項に記載の薬剤。
【請求項１３】
表面の滅菌のための、請求項１〜１２のいずれか１項に記載の薬剤の使用。
【請求項１４】
細菌代謝産物の破壊のための、請求項１〜１１のいずれか１項に記載の薬剤の使用。
【請求項１５】
馬小屋の殺菌のため及び植物／作物防疫のための、請求項１〜１１のいずれか１項に記載の薬剤の使用。
【請求項１６】
請求項１〜１０のいずれか１項に記載の薬剤を含む、スプレイ又はゲルの形態の組成物。
【請求項１７】
水溶液中の過カルボン酸を安定化させるためのポリビニルピロリドンの使用。
【手続補正２】
【補正対象書類名】明細書
【補正対象項目名】００３３
【補正方法】変更
【補正の内容】
【００３３】
実施例２
疣に対する活性薬剤を以下のように作製する：
水中の９０ｇの過酸化水素溶液（３５％）を調製し、１ｇの安息香酸、３ｇのクエン酸、及び１ｇの二酢酸ナトリウムを室温で添加する。次に、反応平衡が得られるまでその混合物を撹拌し、その後、５ｇのＰＶＰ  Ｋ３０を添加する。さらに撹拌した後、９００ｍｌの脱イオン水を添加し、その後、さらに２０ｇのＰＶＰ  Ｋ３０を添加する。１０００ｍｌの脱イオン水で希釈して、最終薬剤をもたらす。
最後に、本発明の好ましい実施態様を項分け記載する。
［実施態様１］
表面の殺菌及び細菌代謝産物の破壊のための薬剤であって、水溶液中に、安定剤と共に少なくとも１つの過カルボン酸を含み、前記安定剤としてポリビニルピロリドン（ＰＶＰ）が使用される、薬剤。
［実施態様２］
前記ＰＶＰが、１０，０００ダルトンと３６０，０００ダルトンとの間の範囲の平均分子量を有する、実施態様１に記載の薬剤。
［実施態様３］
前記ＰＶＰが、４０，０００ダルトンの平均分子量を有する、実施態様２に記載の薬剤
［実施態様４］
前記過カルボン酸がモノカルボン酸、特に安息香酸である、実施態様１〜３のいずれかに記載の薬剤。
［実施態様５］
前記過カルボン酸がヒドロキシ過カルボン酸である、実施態様１〜３のいずれかに記載の薬剤。
［実施態様６］
前記過カルボン酸が、過乳酸、過クエン酸、過マレイン酸又は過酒石酸である、実施態様５に記載の薬剤。
［実施態様７］
過カルボン酸のＰＶＰに対する質量比は、１：１０と１０：１との間の範囲である、実施態様１〜６のいずれかに記載の薬剤。
［実施態様８］
前記水溶液が、０．１〜５０質量％、好ましくは１〜２５％質量％の、ＰＶＰで安定化された過カルボン酸を含む、実施態様１〜７のいずれかに記載の薬剤。
［実施態様９］
酸化安定界面活性剤をさらに含む、実施態様１〜８のいずれかに記載の薬剤。
［実施態様１０］
０．５〜５質量％のポリソルベートを含む、実施態様９に記載の薬剤。
［実施態様１１］
溶媒、金属イオン封鎖剤、ｐＨ調整剤、腐食防止剤、過酸のための安定剤、錯化剤、消泡剤、着色料及び／又は着臭剤を含む、実施態様１〜１０のいずれかに記載の薬剤。
［実施態様１２］
０〜７のｐＨ値、好ましくは３〜６のｐＨ値を有する、実施態様１〜１１のいずれかに記載の薬剤。
［実施態様１３］
表面の滅菌のための、実施態様１〜１２のいずれかに記載の薬剤の使用。
［実施態様１４］
細菌代謝産物の破壊のための、実施態様１〜１１のいずれかに記載の薬剤の使用。
［実施態様１５］
馬小屋の殺菌のため及び植物／作物防疫のための、実施態様１〜１１のいずれかに記載の薬剤の使用。
［実施態様１６］
実施態様１〜１０のいずれかに記載の薬剤を含む、スプレイ又はゲルの形態の組成物。
［実施態様１７］
水溶液中の過カルボン酸を安定化させるためのポリビニルピロリドンの使用。
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
材料のシートまたはウェブ上のインクジェット印刷のためのデジタル印刷装置であって、
ベルトであって、前記ベルトに固定された前記材料のシートまたはウェブを支持し、搬送するためのものであり、前記ベルトは少なくとも第１のローラおよび第２のローラの経路に沿って案内され、前記第１のローラは第１の回転軸を有し、モータによって前記第１の回転軸を中心に回転するように駆動され、前記第２のローラは第２の回転軸を有し、前記ベルトによって前記第２の回転軸を中心として回転するように駆動される、ベルトと、
前記ベルトの経路に沿って配置され、各々が前記材料のシートまたはウェブ上に印刷可能な複数の印字ヘッドと、
前記モータの動作および前記印字ヘッドの印刷動作を制御するように構成された制御システムと、
前記第１のローラと関連付けられる第１のエンコーダであって、前記モータの動作を制御するために第１のエンコーダ信号を前記制御システムに供給するように構成されている、第１のエンコーダと、
前記第２のローラに関連付けられる第２のエンコーダであって、各印字ヘッドの印刷動作を制御するために第２のエンコーダ信号を前記制御システムに供給するように構成されている第２のエンコーダと、
を備えた、デジタル印刷装置。
【請求項２】
前記制御システムは、前記モータの動作を制御するサーボコントローラと、各印字ヘッドの印刷動作を制御するモーションコントローラとを備える、請求項１に記載のデジタル印刷装置。
【請求項３】
前記第１のエンコーダ信号は、前記サーボコントローラに供給される、請求項２に記載のデジタル印刷装置。
【請求項４】
前記第１のエンコーダ信号は、前記第１のローラの角度位置を表す、請求項３に記載のデジタル印刷装置。
【請求項５】
前記第２のエンコーダ信号は、前記モーションコントローラに供給される、請求項２に記載のデジタル印刷装置。
【請求項６】
前記第２のエンコーダ信号は、前記第２のローラの角度位置を表す、請求項５に記載のデジタル印刷装置。
【請求項７】
前記デジタル印刷装置は、前記モータに関連付けられた第３のエンコーダをさらに備え、前記第３のエンコーダは、前記モータの動作をさらに制御するために、第３のエンコーダ信号を前記サーボコントローラに供給する、請求項２に記載のデジタル印刷装置。
【請求項８】
前記第３のエンコーダ信号は、前記第１のローラの角速度を表す、請求項７に記載のデジタル印刷装置。
【請求項９】
前記モーションコントローラは、各印字ヘッドについて、
前記第２のエンコーダ信号を受信するように構成された第２のエンコーダ信号入力と、
前記第２のエンコーダ信号入力に結合され、前記印字ヘッドの印刷動作の開始タイミングおよび／またはオフセットタイミングを規定するように構成された開始／オフセット構成要素と、
前記開始／オフセット構成要素に結合され、前記印字ヘッドの印刷動作のための帯域補償タイミングを設定するように構成されている帯域補償構成要素と、
前記帯域補償構成要素に結合され、前記印字ヘッドの印刷動作のタイミングを他の印字ヘッドの印刷動作のタイミングと同期させるように構成されている同期構成要素と、
前記同期構成要素に結合され、前記印字ヘッドの印刷動作のタイミングを所望の印刷解像度に変換するように構成された変換構成要素と、
前記変換構成要素に結合されており、印字ヘッド制御信号を前記印字ヘッドに供給するように構成された印字ヘッド制御信号出力構成要素と、
を備える、請求項２に記載のデジタル印刷装置。
【請求項１０】
材料のシートまたはウェブ上のデジタルインクジェット印刷の方法であって、
ベルトを提供するステップであって、前記ベルトは、前記ベルトに固定された前記材料のシートまたはウェブを支持し、搬送するためのものであり、前記ベルトは少なくとも第１のローラおよび第２のローラの経路に沿って案内され、前記第１のローラは第１の回転軸を有し、モータによって前記第１の回転軸を中心に回転するように駆動され、前記第２のローラは第２の回転軸を有し、前記ベルトによって前記第２の回転軸を中心として回転するように駆動される、ベルトを提供するステップと、
前記ベルトの経路に沿って配置され、各々が前記材料のシートまたはウェブ上に印刷可能な複数の印字ヘッドを提供するステップと、
前記第１のローラと関連付けられる第１のエンコーダを提供するステップと、
前記第１のエンコーダによって、前記モータの動作を制御するために、第１のエンコーダ信号を供給するステップと、
前記第２のローラに関連付けられる第２のエンコーダを提供するステップと、
前記第２のエンコーダによって、各印字ヘッドの印刷動作を制御するために、第２のエンコーダ信号を供給するステップと
を含む、方法。
【請求項１１】
前記第１のエンコーダ信号は、前記モータの動作を制御するために、サーボコントローラに供給される、請求項１０に記載のデジタル印刷方法。
【請求項１２】
前記第１のエンコーダ信号は、前記第１のローラの角度位置を表す、請求項１１に記載のデジタル印刷方法。
【請求項１３】
前記第２のエンコーダ信号は、各印字ヘッドの印刷動作を制御するために、モーションコントローラに供給される、請求項１０に記載のデジタル印刷方法。
【請求項１４】
前記第２のエンコーダ信号は、前記第２のローラの角度位置を表す、請求項１３に記載のデジタル印刷方法。
【請求項１５】
前記モータに関連付けられた第３のエンコーダを提供するステップと、
前記モータの動作をさらに制御するために、前記第３のエンコーダによって第３のエンコーダ信号を前記サーボコントローラに供給するするステップと、
をさらに含む、請求項１１に記載のデジタル印刷方法。
【請求項１６】
前記第３のエンコーダ信号は、前記第１のローラの角速度を表す、請求項１５に記載のデジタル印刷方法。
【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
生物の核酸試料から生成された核酸配列データのためのデノボゲノムアセンブリをコンピュータにより実現する方法であって、
ａ）１台以上のコンピュータにより、短い読み取り配列データに基づいて初期アセンブリを生成し、前記初期アセンブリが曖昧な配列の１つ以上の未解明領域を含み、前記短い読み取り配列データが、前記核酸配列データの長い出発配列から誘導され、共通の出発配列から誘導された前記短い読み取り配列データのサブセットが共通のタグを共有するように、前記生物の長い範囲の配列構成を保存するためにタグ付されることと、
ｂ）前記１台以上のコンピュータにより、前記タグを利用して前記初期アセンブリに基づいて複数の局所アセンブリを生成して、曖昧な配列の複数の領域を解明することと、
ｃ）前記１台以上のコンピュータにより、前記複数の局所アセンブリに基づいて網羅的アセンブリを生成することと、
ｄ）前記１台以上のコンピュータにより、前記タグにより示された前記長い範囲の配列構成と一致しない配列データを除去することによって、前記網羅的アセンブリをクリーニングすることと、
ｅ）前記１台以上のコンピュータにより、前記タグを利用して前記網羅的アセンブリに基づいた位相ゲノムアセンブリを生成して、位相ヌクレオチド配列を分離し、
前記位相ゲノムアセンブリが、基準配列または独立して生成された任意のゲノム配列に整列させることなく達成されることと
を含む、前記方法。
【請求項２】
前記ゲノムが二倍体である、請求項１に記載の方法。
【請求項３】
前記短い読み取り配列データが単一のライブラリーから生成される、請求項１に記載の方法。
【請求項４】
前記短い読み取り配列データが、前記生物の前記ゲノムの５０×以下の適用範囲をもたらす、請求項１に記載の方法。
【請求項５】
前記短い読み取り配列データが、この読み取りより２×〜１０００×長い出発配列の構成を保存するためにタグ付けされる、請求項１に記載の方法。
【請求項６】
前記短い読み取り配列データが、１０ｋｂ〜５Ｍｂの出発配列の構成を保存するためにタグ付けされる、請求項１に記載の方法。
【請求項７】
前記初期アセンブリが初期アセンブリグラフである、請求項１に記載の方法。
【請求項８】
前記初期アセンブリグラフが、
ａ）前記生物の前記ゲノムに存在する高い確率を有する複数のｋ−ｍｅｒを確認すること、
ｂ）前記タグを使用して、ｋ−ｍｅｒがそれぞれ生じる出発配列の数に基づいて複数のｋ−ｍｅｒをフィルタにかけること、及び
ｃ）前記複数のｋ−ｍｅｒのうち共通のｌ−ｍｅｒを共有するｋ−ｍｅｒを一緒にして、ｌ＜ｋである初期アセンブリを形成すること
によって生成される、請求項７に記載の方法。
【請求項９】
前記１台以上のコンピュータにより、前記初期アセンブリを生成する前に前置フィルタを適用することを更に含み、前記前置フィルタが、
ａ）前記短い読み取り配列データの生成に使用された配列決定装置の塩基品質スコアを利用すること、及び
ｂ）ｋ−ｍｅｒがそれぞれ２つの別個のタグから生じることが見えるように、一回を超えて発生するｋ−ｍｅｒ及び前記タグを利用すること
を含む、請求項８に記載の方法。
【請求項１０】
前記１台以上のコンピュータにより、無損失ランダムアクセス圧縮を、前記品質スコアのそれぞれの記録及び前記グラフの全体にわたるパスに適用することを更に含む、請求項９に記載の方法。
【請求項１１】
方法が、前記１台以上のコンピュータにより、
ａ）曖昧な配列の領域内のそれぞれの選択肢の利用可能な読み取りの数に基づいて、曖昧な配列の１つ以上の領域を排除すること、及び
ｂ）元の短い読み取り配列データを参考にして、前記初期アセンブリグラフのギャップを埋めること
によって、前記初期アセンブリグラフを改訂することを更に含む、請求項８に記載の方法。
【請求項１２】
ｋが２４と９６の間である、請求項８に記載の方法。
【請求項１３】
前記複数の局所初期アセンブリが、
ａ）前記初期アセンブリグラフを暫定基準として使用すること、
ｂ）明白な配列の端部を確認すること、
ｃ）タグの閾値数を超える数のタグを共有する近隣端部を確認すること、及び
ｄ）明白な配列の端部を前記確認された近隣端部と一緒にすること
によって生成される、請求項８に記載の方法。
【請求項１４】
前記網羅的アセンブリが、
ａ）ｚ＞ｋである前記生物の前記ゲノムに存在する高い確率を有する前記複数の局所アセンブリにおいて複数のｚ−ｍｅｒを確認すること、及び
ｂ）前記複数の局所アセンブリにおける前記ｚ−ｍｅｒを一緒にすること
によって生成される、請求項１３に記載の方法。
【請求項１５】
ｚが１００と３００の間である、請求項１４に記載の方法。
【請求項１６】
前記短い読み取り配列データが、１０ｎｇ未満のＤＮＡ入力材料から生成される、請求項１に記載の方法。
【請求項１７】
前記短い読み取り配列データが、２ｎｇ未満のＤＮＡ入力材料から生成される、請求項１６に記載の方法。
【請求項１８】
前記アセンブリが６０分未満で完成される、請求項１に記載の方法。
【請求項１９】
前記１台以上のコンピュータが、５１２ＧＢ未満の記憶容量を含む、請求項１８に記載の方法。
【請求項２０】
前記１台以上のコンピュータが、６０ＧＢ未満の記憶容量を含む、請求項１９に記載の方法。
【請求項２１】
前記アセンブリが２０分未満で完成される、請求項１に記載の方法。
【請求項２２】
前記１台以上のコンピュータが、５１２ＧＢ未満の記憶容量を含む、請求項２１に記載の方法。
【請求項２３】
前記１台以上のコンピュータが、６０ＧＢ未満の記憶容量を含む、請求項２２に記載の方法。
【請求項２４】
前記生物がヒトである、請求項１に記載の方法。
【請求項２５】
前記ＤＮＡ配列データが全ゲノム配列データであり、前記位相ゲノムアセンブリが全ゲノムアセンブリである、請求項１に記載の方法。
【請求項２６】
前記１台以上のコンピュータが、１立方フィート以下の物理的空間を占める、請求項１に記載の方法。